(57)【要約】【課題】  移動している車両と、該車両の移動中に可能な衝突範囲に進入および／または存在する少なくとも１つの物体との衝突を回避するための方法に関する。【解決手段】  前記車両は、前記少なくとも１つの物体を検知するためのセンサ装置であって、前記車両の周辺にある少なくとも１つの衝突範囲を監視する前記センサ装置と、電気機械式ブレーキ倍力装置、および、これと連結され、前記車両を制動するための車両ブレーキシステムに作動的に組み込まれているブレーキ力調整要素と、前記センサ装置の信号を受信し、該信号をベースにして前記ブレーキ倍力装置と前記ブレーキ力調整要素および／または他のアクティブシャーシ要素とを制御する制御装置とを含んでいる。この方法は、少なくとも１つの物体を検知したときに、前記車両の走行速度および／または走行方向を、前記ブレーキシステムおよび前記ブレーキ力調整要素との連動で前記制御装置を用いて、前記少なくとも１つの物体との衝突が自動的に回避されるように変化させる。
2016515974.tif 000002
【特許請求の範囲】
【請求項１】
移動している車両と、該車両の移動中に可能な衝突範囲に進入および／または存在する少なくとも１つの物体との衝突を回避するための方法において、前記車両が、
前記少なくとも１つの物体を検知するためのセンサ装置であって、前記車両の周辺にある少なくとも１つの衝突範囲を監視する前記センサ装置と、
電気機械式ブレーキ倍力装置（２４）、および、これと作動流体を介して連結され、前記車両を制動するための車両ブレーキシステム（５）に作動的に組み込まれているブレーキ力調整要素と、
前記センサ装置の信号を受信し、該信号をベースにして前記ブレーキ倍力装置（２４）と前記ブレーキ力調整要素および／または他のアクティブシャーシ要素とを制御する制御装置と、
を含み、
少なくとも１つの物体を検知したときに、前記車両の走行速度および／または走行方向を、前記ブレーキシステム（５）および前記ブレーキ力調整要素との連動で前記制御装置を用いて、前記少なくとも１つの物体との衝突が自動的に回避されるように変化させるようにした、
前記衝突を回避するための方法。
【請求項２】
前記センサ装置が、物体の検知をベースにして、レーダー装置および／または超音波装置および／または撮像装置を用いて信号を生成して転送し、その際前記センサ装置は、１つまたは複数の３次元の衝突範囲を監視し、該衝突範囲は個別にまたは全部が前記車両の周辺全体とオーバーラップしている、請求項１に記載の方法。
【請求項３】
前記ブレーキシステム内での作動流体の圧力発生を、実質的に前記ブレーキ倍力装置（２４）を用いて生じさせ、すなわち前記物体の検知の際に前記センサ装置の信号に応答して生じさせる、請求項１または２に記載の方法。
【請求項４】
前記センサ装置の信号に応答して前記ブレーキシステムを起動する際、前記ブレーキ力調整要素が、車輪（１７ａ，１７ａ，１７ｂ，１７ｂ）と連結されている車輪ブレーキシリンダ（１６ａ，１６ａ，１６ｂ，１６ｂ）にそれぞれブレーキトルクを生成させ、前記車輪（１７ａ，１７ａ，１７ｂ，１７ｂ）におけるそれぞれのブレーキトルクを、前記センサ装置によって検出した状況に依存して前記制御装置によって個別に生成させる、先行請求項のいずれか一項に記載の方法。
【請求項５】
前記ブレーキ力調整要素が少なくとも１つのＥＳＰ装置および／またはＡＢＳ装置を含んでいる、先行請求項のいずれか一項に記載の方法。
【請求項６】
前記他のアクティブシャーシ要素が少なくとも１つの車両操舵装置および／または差動歯車伝動装置および／またはアクティブシャーシ装置および／またはパワートレイン装置を含み、これら装置に前記制御装置が衝突を回避するための前記センサ装置の前記信号に応答して規則的に作用する、先行請求項のいずれか一項に記載の方法。
【請求項７】
前記衝突を回避するための方法が前記車両の移動をアクティブに調整する各時点で、ドライバーは前記車両を通常に作動させる可能性を持つ、先行請求項のいずれか一項に記載の方法。
【請求項８】
ドライバーは前記車両を運転する際に前記衝突を回避するための方法によって支援される、請求項７に記載の方法。
【請求項９】
ドライバーは前記車両を運転する際に前記衝突を回避するための方法によって支援され、すなわち最大で、ドライバーが設定した閾値まで支援される、請求項８に記載の方法。
【請求項１０】
前記衝突を回避するための方法はドライバーによってオンオフ可能である、先行請求項のいずれか一項に記載の方法。
【請求項１１】
車両用衝突回避システムにおいて、
車両の移動中に少なくとも１つの可能な衝突範囲に進入および／または存在する少なくとも１つの物体を検知するためのセンサ装置であって、該センサ装置によって監視される少なくとも１つの衝突範囲が前記車両の周辺にある前記センサ装置と、
電気機械式ブレーキ倍力装置（２４）、および、これと作動流体を介して連結され、前記車両を制動するための車両ブレーキシステム（５）に作動的に組み込まれているブレーキ力調整要素と、
前記センサ装置の信号を受信し、該信号をベースにして前記ブレーキ倍力装置（２４）と前記ブレーキ力調整要素および／または他のアクティブシャーシ要素とを制御する制御装置と、
を含み、
前記衝突回避システムが、前記少なくとも１つの物体を検知したときに、前記車両の走行速度および／または走行方向を、前記ブレーキシステムおよび前記ブレーキ力調整要素との連動で前記制御装置を用いて変化させ、その結果前記少なくとも１つの物体との衝突が自動的に回避可能である、
衝突回避システム。
【請求項１２】
さらに請求項２から１０の構成要件の１つまたは複数を含んでいる、請求項１１に記載の衝突回避システム。
【発明の詳細な説明】
【技術分野】
【０００１】
本発明は、車両に関連する衝突を、特に車両と車両外にいる人および／または物体との、および２台またはそれ以上の車両同士の衝突をも自動的に回避するための方法およびシステムに関するものである。
【背景技術】
【０００２】
将来のドライバーアシストシステムは、レーダー、超音波、カメラ等によってより多くの周辺情報を利用する傾向があり、その結果多数の可能なドライバーアシスト機能が可能になり、これらのドライバーアシスト機能は臨界走行状況でドライバーを支援して、ドライバーおよび／または乗員を保護するか、或いは、他のロードユーザーを負傷させないようにする。
【０００３】
このようなドライバーアシストシステムに顧客の支持があるかどうかは、車両内で使用されるアクチュエータに依存している。これらのアクチュエータは、実際の走行状態または走行状況に対応して種々の車両リアクションを導入し、たとえば追突事故を回避するための、または、歩行者と衝突を回避するための自動緊急ブレーキを導入する。
【０００４】
車両の実際の走行運転状態への介入は多面的に行うことができる。従ってシャーシ、パワートレイン、ステアリング、またはブレーキの種々の要素を制御器によって制御する可能性がある。さらに、衝突回避のために、車両の速度を低下させる介入、或いは、走行方向も付加的に変化させる介入の点で類別することができる。
【０００５】
特にブレーキ介入の場合、介入の可能性は、使用できる動的圧力発生機構に依存しており、快適機能に対しては、さらに、（たとえば従来のＥＳＰ／ＡＢＳシステムから公知であるような）使用するアクチュエータの発生騒音に依存している。
【０００６】
特にＥＳＰ液圧系のピストンポンプによる圧力発生機構は不十分な圧力発生勾配を提供し、車両との液圧的／機械的結合によって付加的にかなりの騒音を発生させる。
【０００７】
特許文献１は、いわゆる優先車両の通常のステアリングコントロールが故障した場合に、差動ブレーキを使用して自動ステアリングコントロールを提供する衝突回避システムを開示している。このシステムは、ある物体、たとえば他の車両または人との衝突が切迫しているかどうかを検知し、切迫していれば、優先車両に対し回避走行に最適な経路を検出することで、そうでなければ衝突の可能性のある物体を回避している。この衝突回避システムは、車両が最適な経路に追従して（衝突）標的を回避するために自動ステアリングが必要であることを検出することができる。衝突回避システムが自動ステアリングが必要であることを検出し、且つ通常の車両ステアリングが故障していることを検出した場合には、本システムは差動ブレーキを使用することで、車両を前記経路に沿って操舵する。
【先行技術文献】
【特許文献】
【０００８】
【特許文献１】独国特許出願公開第１０２０１２１０４７９３Ａ１号明細書
【発明の概要】
【０００９】
本発明は、請求項１による第１の観点のもとで、移動している車両と、該車両の移動中に可能な衝突範囲に進入および／または存在する少なくとも１つの物体との衝突を回避するための方法において、前記車両が、前記少なくとも１つの物体を検知するためのセンサ装置であって、前記車両の周辺にある少なくとも１つの衝突範囲を監視する前記センサ装置と、電気機械式ブレーキ倍力装置、および、これと連結され、前記車両を制動するための車両ブレーキシステムに作動的に組み込まれているブレーキ力調整要素と、前記センサ装置の信号を受信し、該信号をベースにして前記ブレーキ倍力装置と前記ブレーキ力調整要素および／または他のアクティブシャーシ要素とを制御する制御装置とを含み、少なくとも１つの物体を検知したときに、前記車両の走行速度および／または走行方向を、前記ブレーキシステムおよび前記ブレーキ力調整要素との連動で前記制御装置を用いて、前記少なくとも１つの物体との衝突が自動的に回避されるように変化させるようにした、前記衝突を回避するための方法を提案する。
【００１０】
請求項１１による第２の観点のもとでは、本発明は、車両用衝突回避システムにおいて、車両の移動中に少なくとも１つの可能な衝突範囲に進入および／または存在する少なくとも１つの物体を検知するためのセンサ装置であって、該センサ装置によって監視される少なくとも１つの衝突範囲が前記車両の周辺にある前記センサ装置と、電気機械式ブレーキ倍力装置、および、これと作動流体を介して連結され、前記車両を制動するための車両ブレーキシステムに作動的に組み込まれているブレーキ力調整要素と、前記センサ装置の信号を受信し、該信号をベースにして前記ブレーキ倍力装置と前記ブレーキ力調整要素および／または他のアクティブシャーシ要素とを制御する制御装置とを含み、前記衝突回避システムが、前記少なくとも１つの物体を検知したときに、前記車両の走行速度および／または走行方向を、前記ブレーキシステムおよび前記ブレーキ力調整要素との連動で前記制御装置を用いて変化させ、その結果前記少なくとも１つの物体との衝突が自動的に回避可能である、衝突回避システムを提案する。
【００１１】
本発明の利点は、従来の電気機械式ブレーキ倍力装置（いわゆるｉブースタ）を下位のＥＳＰユニットと連動させて利用することによって非対称なブレーキトルクを車両に付与し、該非対称なブレーキトルクが一方では車両を制動することでたとえば歩行者との衝突を回避させ、他方では交通状況が許す限りにおいては車両が邪魔になっている歩行者をよけるように車両の方向を制御することによって得られる。
【００１２】
この場合、必要な動的圧力発生は、ブレーキ圧を非常に迅速に発生させることができるばかりでなく、非常に快適に、すなわち最小の騒音発生でブレーキ圧を発生させることのできるｉブースタ（電気機械式ブレーキ倍力装置）を使用することによって保証される。下位のＥＳＰシステム（ＡＢＳシステムでも可能である）は、車輪特有の介入によって、すなわち吸込み弁を閉じ、場合によっては排出弁を開くことによって、非対称なブレーキトルクの付与を可能にさせる。
【００１３】
使用するセンサ装置によって、歩行者との衝突が間近に迫っていることが検知されると、ｉブースタによって圧力をアクティブに発生させることで車両を減速させ、もし可能ならば、歩行者の前方で停止させる。
【００１４】
もしこれが不可能であれば、周辺センサ装置に基づいていわゆる回避回廊を検出することで、歩行者をよけるように車両を制御することができる。この算出された車両の軌跡は、左右非対称のブレーキトルクを調整することによって置換することができ、すなわちｉブースタによる圧力発生と、ＥＳＰ／ＡＢＳの構成要素による非対称性とを生じさせるように置換することができる。逆送ポンプの制御は必要ない。
【００１５】
これとは択一的に、操舵装置、差動装置、アクティブシャーシのような他のアクティブ要素も、車両の方向変更に使用することができる。
【００１６】
好ましくは、センサ装置は、物体の検知をベースにして、レーダー装置および／または超音波装置および／または撮像装置を用いて信号を生成してこれを転送し、その際センサ装置は、１つまたは複数の３次元の衝突範囲を監視し、該衝突範囲は個別にまたは全部が車両の周辺全体とオーバーラップしている。このようにして、センサ装置による可能な衝突物体の検知が保証されている。
【００１７】
有利には、ブレーキシステム内での作動流体の圧力発生を、実質的にブレーキ倍力装置を用いて生じさせ、すなわち物体の検知の際にセンサ装置の信号に応答して生じさせる。電気機械式ブレーキ倍力装置を用いると、前述したようにブレーキシステム内に比較的高い作動流体の圧力発生を得ることができる。
【００１８】
さらに、センサ装置の信号に応答してブレーキシステムを起動する際、ブレーキ力調整要素が、車輪と連結されている車輪ブレーキシリンダにそれぞれブレーキトルクを生成させ、車輪におけるそれぞれのブレーキトルクを、センサ装置によって検出した状況に依存して制御装置によって個別に生成させるのが有利である。これにより、衝突が切迫することを検知した際に車両の走行方向を適宜制御することができる。
【００１９】
好ましくは、ブレーキ力調整要素は少なくとも１つのＥＳＰ装置および／またはＡＢＳ装置を含んでいる。この場合、このような装置はよく知られているものであり、ほぼどの車両にも組み付けられているという利点がある。
【００２０】
有利には、前記他のアクティブシャーシ要素は少なくとも１つの車両操舵装置および／または差動歯車伝動装置および／またはアクティブシャーシ装置および／またはパワートレイン装置を含み、これら装置に制御装置が衝突を回避するためのセンサ装置の信号に応答して規則的に作用する。これによって、衝突回避のための更なる支援の可能性が与えられている。
【００２１】
衝突を回避するための方法が車両の移動をアクティブに調整する各時点で、ドライバーは車両を通常に作動させる可能性を持つのが有利であり、すなわち衝突回避システムを解除する可能性を持つのが有利である。
【００２２】
さらに、ドライバーは車両を運転する際に前記衝突を回避するための方法によってアクティブに支援されるのが有利であり、たとえば操舵装置への自動介入によって支援されるのが有利である。
【００２３】
最後に、ドライバーは車両を運転する際に前記衝突を回避するための方法によって支援され、すなわち最大で、ドライバーが設定した閾値まで支援されるのがさらに有利である。これは特に走行速度コントロール（たとえばクルーズコントロールまたはＡＣＣ）が設けられている場合に、前記衝突を回避するための方法の導入にもかかわらず、設定した速度を維持するために有利である。
【００２４】
好ましくは、前記衝突を回避するための方法を意識的に利用するかしないかの決定をドライバーに委ねるために、前記衝突を回避するための方法はドライバーによってオンオフ可能である。
【００２５】
次に、本発明を図面との関連で実施形態を用いて説明する。
【図面の簡単な説明】
【００２６】
【図１】従来のブレーキシステムの配置構成の１例を示す図である。
【図２ａ】作動流体の圧力のグラフを例示したもので、すなわち電気機械式ブレーキ倍力装置を備えていない従来のブレーキシステムを時間に依存して示すとともに、この従来のブレーキシステムの主要な構成要素の作動状態をも併せて示した図である。
【図２ｂ】作動流体の圧力のグラフを示すもので、すなわち電気機械式ブレーキ倍力装置を備えたブレーキシステムを時間に依存して示すとともに、このブレーキシステムの主要な構成要素の作動状態をも併せて示した図である。
【図３】図１のブレーキシステムの配置構成をよりよく理解するために示す詳細図である。
【図４ａ】図１のブレーキシステムの配置構成をよりよく理解するために示す詳細図である。
【図４ｂ】主要なブレーキシステム構成要素の圧力推移グラフを示すもので、すなわち図４ａに図示した過程をよりよく理解するためにそれぞれ時間に依存して示す図である。
【図５ａ】時間的に連続する走行状況を平面で見た図である。
【図５ｂ】図５ａに図示した走行状況に対応する車両作動状態を、全車両の移動方向をも併せて示唆した図である。
【発明を実施するための形態】
【００２７】
図１は、本発明をよりよく理解するために、それ自体公知の従来のブレーキシステム５（一点鎖線の枠取りで強調した）の図を示すものであり、それ故ここには比較的簡単に立ち入ることにする。ブレーキシステム５またはその機能の詳細な説明は、たとえば独国特許出願公開第１０２０１１０７５９８３Ａ１号明細書を参照されたい。
【００２８】
ブレーキシステム５の主要な構成要素は、たとえばタンデムブレーキマスタシリンダとして実施可能なブレーキマスタシリンダ１０である。しかしながら、ブレーキシステム５はタンデムブレーキマスタシリンダの使用に限定されるものではない。
【００２９】
ブレーキマスタシリンダ１０には、作動液貯留容器（またはブレーキ液貯留容器）１２が流体連結されている。
【００３０】
さらに、ブレーキマスタシリンダ１０には、電気機械式ブレーキ倍力装置２４（いわゆる「ｉブースタ」）が連結されている。ブレーキ倍力装置２４は、特に連続調整可能な／連続制御可能なブレーキ倍力装置であってよい。
【００３１】
ブレーキ倍力装置２４と連結され、よってブレーキマスタシリンダ１０と連結されているブレーキ操作要素２２を介して、車両のドライバーはブレーキ力を行使することができ、このことは、ブレーキマスタシリンダ１０内での、または、これと流体連結されている伝送管２８ａ，２８ｂ内での作動液圧の上昇に作用し、この場合車両の制動のために生成される上昇した流体圧は、無電流開弁型の吸込み弁（「ＥＶ」）３４ａ，３４ａ，３４ｂ，３４ｂを介して車輪ブレーキシリンダ１６ａ，１６ａ，１６ｂ，１６ｂに伝達され、その結果車輪ブレーキシリンダに付設されている車輪１７ａ，１７ａ，１７ｂ，１７ｂにはそれぞれブレーキトルクが生成される。
【００３２】
図１に示したブレーキシステム５は２つのブレーキ回路１４ａ，１４ｂを有し、この場合ブレーキ回路１４ａに付設される車輪１７ａ，１７ａはたとえば車軸（たとえば前車軸）に付設されていてよい。対応的に、ブレーキ回路１４ｂに付設される車輪１７ｂ，１７ｂは車両の後車軸の車輪であってよい。なお、ブレーキ回路１４ａ，１４ｂに付設される構成要素、すなわちたとえば弁は、それぞれのブレーキ回路内に対応的に配置されている。しかし、他のブレーキ回路配置構成も考えられ、たとえば１つのブレーキ回路の車輪は異なる車軸に付設される。
【００３３】
減圧のために、ブレーキ回路１４ａ，１４ｂ内では、それぞれ（無電流閉弁型の）排出弁（「ＡＶ」）２０ａ，２０ａ，２０ｂ，２０ｂが車輪ブレーキシステム１６ａ，１６ａまたは１６ｂ，１６ｂと流体連結され、この場合減圧のために排出弁が対応的に通電される。
【００３４】
このとき作動液は、ブレーキ回路１４ａ，１４ｂ内の蓄圧要素１８ａ，１８ｂ内を変位することができる。
【００３５】
さらに、ブレーキ回路１４ａ，１４ｂはそれぞれ（無電流開弁型の）切換え弁３０ａ，３０ｂを有し、これらの切換え弁は、通電時にブレーキ回路１４ａ，１４ｂをブレーキマスタシリンダ１０から流体的に切り離すことができる。このケースでは、作動液増圧は（逆送）ポンプ４６ａ，４６ｂを介してブレーキ回路１４ａ，１４ｂ内に生成させることができ、この場合ポンプ４６ａ，４６ｂはモータ５２を介して駆動され、すなわちモータから出力されてポンプ４６ａ，４６ｂを駆動する駆動軸を介して駆動される。このときポンプ４６ａ，４６ｂは、その吐出側（図１で三角形で特徴づけた）においてそれぞれ管５８ａ，５８ｂを介して高圧化した作動液を車輪ブレーキシリンダ１６ａ，１６ａ，１６ｂ，１６ｂ内へ圧送して、付設の車輪にそれぞれブレーキトルクを生成させる。
【００３６】
図１に図示したブレーキシステム５をＥＳＰ／ＡＢＳシステムとして使用する場合には、ポンプ４６ａ，４６ｂは自吸ポンプとして作用し、この場合切換え弁３０ａ，３０ｂは閉じており、高圧切換え弁６４ａ，６４ｂ（常時は無電流で閉じている）は通電によって開弁される。従って、作動液を吸込み弁３４ａ，３４ａ，３４ｂ，３４ｂを介して車輪ブレーキシリンダ１６ａ，１６ａ，１６ｂ，１６ｂに伝送して、車輪１７ａ，１７ａ，１７ｂ，１７ｂにブレーキトルクを生成させることができる。この場合、車輪１７ａ，１７ａ，１７ｂ，１７ｂを個別に制動するために、たとえばＥＳＰ介入時に特定の走行状況でいわゆるギヤトルクを相殺して走行中の車両を安定化させるために、吸込み弁が互いに別個に制御可能であることは公知である。なお、このケースではブレーキシステム５がＸブレーキ回路配分構成を有することを付記しておく。
【００３７】
さらに、複数の逆止弁を図示したが、これらの逆止弁は、端的に説明するという理由と、それらの機能は当業者に知られているという理由とから、詳細に説明しないことを指摘しておく。
【００３８】
いま、本発明の思想に従って、走行している車両前方に突然出現した人、他車、またはその他の物体、或いは、一般に障害物（障害物は定置のものであってもよい）との衝突を回避するためにブレーキシステム５を使用するため、ブレーキシステム５の機能を電気機械式ブレーキ倍力装置２４の機能と組み合わせる。この場合ブレーキシステム５の機能（或いは、さらに以下で説明するようなセンサ装置と結合している図示していない制御装置の機能）は、吸込み弁を状況に応じて（すなわち回避操作）制御するために用い、電気機械式ブレーキ倍力装置の機能は、作動液の対応する高圧を発生させるために用いる。このことは、高い圧力発生に関してＥＳＰシステムだけでは不可能である。
【００３９】
センサ装置（ここには図示せず）としては、車両の適当な個所に固定または装着される各種の１つまたは複数のセンサを用いることができ、たとえば１つまたは複数のレーダー装置、超音波装置、赤外線装置および／または画像付与装置をベースにしたものを用いることができる。この場合、１つまたは複数のセンサ装置は車両の全域を、好ましくは３次元方式で検知すること、或いは、特定のいわゆる衝突領域のみを、たとえば車両前方領域および／またはその側方領域のみを検知することが考えられる。当業者にとっては公知であるように、検知の「欠落」を回避するために複数の衝突領域を部分的にオーバーラップさせてもよい。
【００４０】
少なくとも１つのセンサ装置は、車両が通常どおりそのまま走行すれば当該車両と衝突するような１つまたは複数の障害物（人、車両、または一般に物体）を検知すると、１つまたは複数の信号を車両内にある制御装置に送る。このとき制御装置は、たとえばトルク速度、加速度／減速度、走行方向（たとえばＧＰＳデータをベースにして検出される）、旋回操舵方向、道路表面の性質（たとえば湿性／乾性）等の車両特殊データをベースにして、或いは、車両に対する人または（障害物が移動している場合の）軌跡をベースにして、可能な衝突場所を演算して、ブレーキシステムを適宜制御することによって車両を障害物周辺で制御および／または制動することができ、その結果衝突には至らない。なお、制御装置が操舵装置（いわゆるサポートステアリングアシストとして）、差動歯車装置、アクティブシャーシ（たとえばサスペンション、ショックアブゾーバ、スタビライザ等に関して）に介入することも考えられ、他方たとえばエンジントルクの低下、燃料供給の低減／休止、ギヤチェンジ等による駆動系自体への介入も考えられる。
【００４１】
残りの図を参照して主要な構成要素の機能の説明を行う前に、図５ａおよび図５ｂを参照して典型的な回避操作状況を説明しておく。
【００４２】
図５ａは、走行軌道１１０上を矢印１２０の方向に移動している車両１００を平面図で示している。第１段階Ｉ）で、車両１００の（ここには示していない）センサ装置は、「検知波」１３０で示唆した車両１００の前方周辺を検知する。この場合、障害物はまだ検知されない。第２段階ＩＩ）で、走行方向において車両１００の前方にいる人１４０が検知される。これに基づいて、車両１００内のセンサ装置は、受信した信号をベースとして車両１００の作動状態Ａ）を誘起させる。図５ｂでは、この作動状態Ａ）は、車両１００が矢印１２５の方向に導かれるように適当なブレーキトルクを生成させることによりブレーキシステムが車両１００の車輪１０５に作用することによって特徴づけられている。この場合、状態Ａ）では、車輪１０５，１０５（すなわち矢印１２５の方向での走行方向に関して、車両１００の右側の車輪）に作用するブレーキトルクは、車輪１０６，１０６に作用するブレーキトルクよりも相対的に低く、その結果車両は左側へ偏向する（すなわち矢印１２５の方向）。車両１００は、ブレーキシステムへの適宜の介入によって自動的に障害物１４０のそばを通過する。この場合、もちろん上述の介入（操舵など）を付加的に行うことが考えられる。
【００４３】
この時点で車両１００はその一部または全体が対向交通用の車線２１０上にあるので（矢印２２０の方向に移動する車両２００によって図示した）、制御装置は、車両１００を、車輪１０５，１０５（車両右側）に対するブレーキトルクが車輪１０６，１０６（車両左側）に対するブレーキトルクよりも高い作動状態Ｂ）へ誘導し、その結果車両１００は全体が矢印１２６の方向に導かれ（図５ｂを参照）、すなわち元の車線１１０へ再び戻る。この場合、制御装置は、車両１００が対向車線２１０上にあるという事実（たとえば路面標識１５０，１５０に基づいてセンサ装置によって検出される）だけに基づいて作動状態Ｂ）がもたらされるように構成されていてよい。もちろん、車両１００の衝突範囲内にある車両２００（センサ装置によって検知することができる）も、作動状態Ｂ）をもたらすための誘因であってよい。
【００４４】
状態Ｂ）（「右カーブ」）の後に車両１００が再び車線１１０に沿って移動するようにするため、再び状態Ａ）を誘起させ、その結果車両１００は段階ＩＩＩ）で状態Ｃ）になり、この状態では、ブレーキトルクはすべての車輪１０５，１０５，１０６，１０６において再び左右対称になり、その結果車両１００は再び矢印１２０で示唆した方向に従う（図５ａ）。
【００４５】
ここで、さらに他の実施形態に関して簡単に触れておく。ドライバーに対しては、システムを解除する可能性が常にあるべきであり、すなわち衝突回避が導入されたにもかかわらず、ドライバーにとっては自身で加速または制動を行う可能性があるべきである。
【００４６】
アダプティブクルーズコントローラ（ＡＣＣ）がオンになっている場合には衝突回避を導入することができるが、しかし発生させたブレーキトルクはエンジントルクを上げることによって相殺され、その結果車両は減速されずに、ドライバーコマンド（たとえばアクセル位置、ＡＣＣによる速度予設定）に追従する。
【００４７】
他の実施形態によれば、衝突回避を導入して、発生させたブレーキトルクを次のように配分し、すなわちドライバーが比較的軽くブレーキに「触れている」場合にドライバーコマンドのみに対応して車両が減速し、場合によってはエンジントルクを上げることによって減速するように、配分する。
【００４８】
さらに、前述したように、衝突回避機能をドライバーによってオンオフすることが考えられる。
【００４９】
図２ａおよび図２ｂは、マスタシリンダ内での圧力の時間的圧力推移、すなわちｐＨＺ（ｔ）を（図示して、または、定性的に図示して）比較したもので、すなわち電気機械式ブレーキ倍力装置を備えていない従来のシステム（図２ａの上のグラフ）と、電気機械式ブレーキ倍力装置を使用した場合（ｉブースタ、図２ｂの上のグラフ）とを比較したものである。この場合認められることは、図２ａの上のグラフでは、マスタシリンダ内の圧力（予圧）がゼロであるのに対し、電気機械式ブレーキ倍力装置を使用した、図２ｂの対応する圧力は、当初上昇し（タイムウィンドウｔ１）、その後適当なレベルで一定に留まり（タイムウィンドウｔ２）、その後再びゼロへ降下する（タイムウィンドウｔ３）。タイムウィンドウｔ１，ｔ２，ｔ３は、グラフの下にバーによって示したように、対応する構成要素の操作期間によって特徴づけられ、たとえばｔ１の間主切換え弁（「ＨＳＶｓ」）が開いている、または、ｔ１の間「ポンプオン」であることによって特徴づけられている（図２ａを参照）。なお、ハッチングしたバーはパッシブな構成要素（すなわち吸込み弁  左  開）を意味しており、他方点を打ったバーはアクティブな構成要素を意味している（すなわち吸込み弁  右  閉、或いは、ｉブースタ  アクティブ、図２ｂ）。排出弁「ＡＶｓ」はそれぞれ閉じている。ｔ２とｔ３の間、図２ａでは主切換え弁（「ＨＳＶｓ」）はオプションで開いていてもよく、或いは、ポンプ（図２ａ）はオプションでオンであってもよい。
【００５０】
図２ａおよび図２ｂの中間のグラフには、それぞれ車両左側に対するブレーキ圧Ｐ左と車両右側に対するブレーキ圧ｐ右とがそれぞれ図示されており、図５ａおよび図５ｂに示した作動状態Ａ）とＢ）に対応している。
【００５１】
図３と図４ａおよび図４ｂとは本発明の図示した実施形態をよりよく理解するために用いるもので、ブレーキ操作要素２２と、貯留容器１２と、マスタシリンダ１０と、高圧弁６４ｂ（２つの状態の間で切換え可能）と、切換え弁３０ｂ（制御可能）と、ポンプ４６ｂ（制御可能）と、左車輪および右車輪用に制御可能な吸込み弁３４ｂ，３４ｂとを備えたブレーキシステム５の詳細図を示している。参照符号３００は、高圧切換え弁６４ｂと（逆送）ポンプ４６ｂとの間のプレチャンバ・作動液容積部を表わしている。参照符号４００は、切換え弁３０ｂと両吸込み弁３４ｂ，３４ｂとの間の作動液・システム容積部を表わしている。
【００５２】
グラフＩとグラフＩＩとは圧力／体積比を一般的に記載したもので、圧力／体積比は左側の吸込み弁または右側の吸込み弁３４ｂ，３４ｂに対してそれぞれ顧客ごとに設定可能である。参照符号１１は、マスタシリンダ１０と（液圧ユニットの）ブレーキシステム５との間の吸込み管を表わしている。排出弁または蓄圧器は簡潔にするためにここには図示していない。
【００５３】
図４ｂは図３に図示したブレーキシステム５の詳細図であり、作動液の容積部・流動方向を補足したものである。
【００５４】
図４ａはこれに付属する時間的推移（Ａ）ないし（Ｆ）を（図示して、または、定性的に図示して）示したもので、すなわち高圧切換え弁ＨＳＶおよび切換え弁ＵＳＶの作動状態（オン／オフ）［グラフ（Ａ）］、逆送ポンプＲｆｐ（４６ｂ）の回転数ｎＲｆｐ［グラフ（Ｂ）］、逆送ポンプ（４６ｂ）の体積・流動率ｑＲｆｐ（ｍリットル／秒）［グラフ（Ｃ）］、車輪ブレーキシリンダまたは吸込み弁３４ｂに対する体積・流動率ｑＷｈｅｅｌ［グラフ（Ｄ）］、ブレーキ圧ｐ、切換え弁３０ｂの体積・流動率ｑＵＳＶを示したものである。
【００５５】
図４ｂには、ブレーキトルクを生成させるための圧力発生（ｐＶグラフＩとＩＩを参照）が経過する状況が示されており、すなわち参照符号５００で特徴づけた、ｑＨＳＶ，ｑＲｆｐ，ｑＥＶｌｅｆｔ（左車輪用の吸込み弁）およびｑＥＶｒｉｇｈｔ（右車輪用の吸込み弁）に対する方向矢印を用いて示されている。この場合、切換え弁３０ｂは圧力制限弁として用いられ、参照符号６００で特徴づけた、ｑＵＳＶに対する方向矢印は、作動液がマスタシリンダ１０へ戻るように流れていることを示している。
【００５６】
図４ａでは、グラフ（Ａ）ないし（Ｆ）に関連して、特にグラフ（Ｆ）に関連して、ブレーキ圧の制御が時点ｔΔｐからはじめて行われ、すなわちｑＵＳＶがゼロでないときにはじめて行われることが認められる。
【００５７】
なお、図示したディメンションは必ずしも縮尺どおりでないことを申し添えておく。
【符号の説明】
【００５８】
５  ブレーキシステム
１６ａ，１６ｂ  車輪ブレーキシリンダ
１７ａ，１７ｂ  車輪
２４  ブレーキ倍力装置
【図１】
2016515974.tif 000003
【図２ａ−２ｂ】
2016515974.tif 000004
【図３】
2016515974.tif 000005
【図４ａ】
2016515974.tif 000006
【図４ｂ】
2016515974.tif 000007
【図５ａ】
2016515974.tif 000008
【図５ｂ】
2016515974.tif 000009
【手続補正書】
【提出日】平成27年9月17日(2015.9.17)
【手続補正１】
【補正対象書類名】特許請求の範囲
【補正対象項目名】全文
【補正方法】変更
【補正の内容】
【特許請求の範囲】
【請求項１】
移動している車両と、該車両の移動中に可能な衝突範囲に進入および／または存在する少なくとも１つの物体との衝突を回避するための方法において、前記車両が、
前記少なくとも１つの物体を検知するためのセンサ装置であって、前記車両の周辺にある少なくとも１つの衝突範囲を監視する前記センサ装置と、
電気機械式ブレーキ倍力装置（２４）、および、これと作動流体を介して連結され、前記車両を制動するための車両ブレーキシステム（５）に作動的に組み込まれているブレーキ力調整要素と、
前記センサ装置の信号を受信し、該信号をベースにして前記ブレーキ倍力装置（２４）と前記ブレーキ力調整要素および／または他のアクティブシャーシ要素とを制御する制御装置と、
を含み、
少なくとも１つの物体を検知したときに、前記車両の走行速度および／または走行方向を、前記ブレーキシステム（５）および前記ブレーキ力調整要素との連動で前記制御装置を用いて、前記少なくとも１つの物体との衝突が自動的に回避されるように変化させるようにした、
前記衝突を回避するための方法。
【請求項２】
前記センサ装置が、物体の検知をベースにして、レーダー装置および／または超音波装置および／または撮像装置を用いて信号を生成して転送し、その際前記センサ装置は、１つまたは複数の３次元の衝突範囲を監視し、該衝突範囲は個別にまたは全部が前記車両の周辺全体とオーバーラップしている、請求項１に記載の方法。
【請求項３】
前記ブレーキシステム内での作動流体の圧力発生を、実質的に前記ブレーキ倍力装置（２４）を用いて生じさせ、すなわち前記物体の検知の際に前記センサ装置の信号に応答して生じさせる、請求項１または２に記載の方法。
【請求項４】
前記センサ装置の信号に応答して前記ブレーキシステムを起動する際、前記ブレーキ力調整要素が、車輪（１７ａ，１７ａ，１７ｂ，１７ｂ）と連結されている車輪ブレーキシリンダ（１６ａ，１６ａ，１６ｂ，１６ｂ）にそれぞれブレーキトルクを生成させ、前記車輪（１７ａ，１７ａ，１７ｂ，１７ｂ）におけるそれぞれのブレーキトルクを、前記センサ装置によって検出した状況に依存して前記制御装置によって個別に生成させる、請求項１から３のいずれか一項に記載の方法。
【請求項５】
前記ブレーキ力調整要素が少なくとも１つのＥＳＰ装置および／またはＡＢＳ装置を含んでいる、請求項１から４のいずれか一項に記載の方法。
【請求項６】
前記他のアクティブシャーシ要素が少なくとも１つの車両操舵装置および／または差動歯車伝動装置および／またはアクティブシャーシ装置および／またはパワートレイン装置を含み、これら装置に前記制御装置が衝突を回避するための前記センサ装置の前記信号に応答して規則的に作用する、請求項１から５のいずれか一項に記載の方法。
【請求項７】
前記衝突を回避するための方法が前記車両の移動をアクティブに調整する各時点で、ドライバーは前記車両を通常に作動させる可能性を持つ、請求項１から６のいずれか一項に記載の方法。
【請求項８】
ドライバーは前記車両を運転する際に前記衝突を回避するための方法によって支援される、請求項７に記載の方法。
【請求項９】
ドライバーは前記車両を運転する際に前記衝突を回避するための方法によって支援され、すなわち最大で、ドライバーが設定した閾値まで支援される、請求項８に記載の方法。
【請求項１０】
前記衝突を回避するための方法はドライバーによってオンオフ可能である、請求項１から９のいずれか一項に記載の方法。
【請求項１１】
車両用衝突回避システムにおいて、
車両の移動中に少なくとも１つの可能な衝突範囲に進入および／または存在する少なくとも１つの物体を検知するためのセンサ装置であって、該センサ装置によって監視される少なくとも１つの衝突範囲が前記車両の周辺にある前記センサ装置と、
電気機械式ブレーキ倍力装置（２４）、および、これと作動流体を介して連結され、前記車両を制動するための車両ブレーキシステム（５）に作動的に組み込まれているブレーキ力調整要素と、
前記センサ装置の信号を受信し、該信号をベースにして前記ブレーキ倍力装置（２４）と前記ブレーキ力調整要素および／または他のアクティブシャーシ要素とを制御する制御装置と、
を含み、
前記衝突回避システムが、前記少なくとも１つの物体を検知したときに、前記車両の走行速度および／または走行方向を、前記ブレーキシステムおよび前記ブレーキ力調整要素との連動で前記制御装置を用いて変化させ、その結果前記少なくとも１つの物体との衝突が自動的に回避可能である、
衝突回避システム。
【請求項１２】
請求項２から１０のいずれか１項に記載の方法を実現するための構成要素をさらに含んでいる、請求項１１に記載の衝突回避システム。
【国際調査報告】
2016515974.tif 000010
2016515974.tif 000011
2016515974.tif 000012
2016515974.tif 000013
2016515974.tif 000014
2016515974.tif 000015